(57)【要約】      （修正有）【課題】挟持した状態でクランプを任意の姿勢や方向に保持して被挟持物の向きや姿勢を最適な状態で長時間保持することが可能で、特に複数個のクランプを用いて被挟持物を長時間保持するのに好適で、しかも低コストで製造可能なクランプを提供する。【解決手段】一対の挟持腕２・２をそれらの先端側に設けた圧接部２ｃ間で被挟持物を挟持できるように開閉可能に枢支軸３を介して枢着し、スプリング４により各挟持腕２の先端側が相互に圧接されるように付勢し圧接部２ｃ間で被挟持物を挟持する構造のクランプ１において、一方の挟持腕２の外周面および他方の挟持腕２の一側面にそれぞれ嵌合溝２ｄを設け、各嵌合溝２ｄに嵌脱可能な嵌合突起５ａ・６ａを備えた吸盤式吸着具５あるいはマグネット式吸着具６の一方の嵌合突起５ａ・６ａを嵌合溝２ｄの一方に嵌合して固定できるようにした。【選択図】図９
0003133002.tif 000002
【実用新案登録請求の範囲】
【請求項１】
一対の挟持腕をそれらの先端側に設けた圧接部間で被挟持物を挟持できるように開閉可能に枢支軸を介して枢着し、スプリングにより各挟持腕の先端側が相互に圧接されるように付勢し前記圧接部間で被挟持物を挟持する構造のクランプにおいて、
一方の挟持腕の外周面および他方の挟持腕の一側面にそれぞれ嵌合部を設け、各嵌合部に嵌脱可能な嵌合部材を備えた吸盤式吸着具あるいはマグネット式吸着具の一方の嵌合部材を前記嵌合部の一方に嵌合して固定できるようにしたことを特徴とするクランプ。
【請求項２】
前記嵌合部を、一方の挟持腕の先端側外周面および他方の挟持腕の一側面で前記枢支軸近傍にそれぞれ設けたことを特徴とする請求項１記載のクランプ。
【請求項３】
前記各挟持腕の基端側の最基端部において、側面に直交する方向に貫通孔を設けたことを特徴とする請求項１または２記載のクランプ。
【請求項４】
前記吸盤式吸着具あるいは前記マグネット式吸着具の背面中央部に前記嵌合部材を配置し、その嵌合部からフックを一体に延設したことを特徴とする請求項１または２記載のクランプ。
【請求項５】
前記挟持腕側の嵌合部が嵌合溝であり、前記吸盤式吸着具あるいは前記マグネット式吸着具の嵌合部材が前記嵌合溝内に嵌入可能な嵌合突起からなることを特徴とする請求項１または２記載のクランプ。
【請求項６】
前記フックを一体に延設した前記嵌合部材を、前記吸盤式吸着具あるいは前記マグネット式吸着具の背面中央部に旋回可能に配置したことを特徴とする請求項３または４記載のクランプ。
【考案の詳細な説明】
【技術分野】
【０００１】
この考案は、開閉可能な一対の挟持腕の先端側圧接部間で被挟持物、例えば板状体や模型部品やメモ類やカード類あるいは布製品を挟持し、所望の姿勢で保持することができるクランプに関するものである。
【背景技術】
【０００２】
この種のクランプは、一対の挟持腕を先端側で被挟持物を挟持できるように開閉可能に枢着し、スプリングにより各挟持腕の先端側が圧接されるように付勢した構造からなるのが一般的である。
【０００３】
また、上記のクランプでは、挟持腕の基端側に孔を設け、紐を通して吊り下げて保持する程度しか、クランプを固定する手段がない。そこで、クランプの一対の挟持腕の一方に吸盤を取り付け、クランプの先端側で被挟持物を挟持した状態のクランプを吸盤で机上や壁面に吸着し、固定できるようにしたクランプが提案されている。
【０００４】
この種のクランプに関する先行技術として「ほぼ中央において回動可能に相互に取り付けらた一対のクランプ形成部材からなり、前記クランプ形成部材の先端において被挟持物を挟む込むクランプであって、前記クランプ形成部材の各々の先端には、被挟持物の外形形状に適合する内面を有する挟持部材が取り付けられており、該挟持部材は、前記一対のクランプ形成部材が回動する面と同一面内において回動可能であるように前記クランプ形成部材に取り付けられている構造」のクランプが実用新案登録されている（例えば、特許文献１参照）。
【０００５】
他の先行技術として「ライト本体と、このライト本体を被取付部に着脱自在にするクリップと、ライト本体とクリップとを接続する接続部材とから構成された」クリップライトが出願され、公開されている(例えば、特許文献２参照）。このクリップは、前方の挟持部と後方の把手部との中間位置に支点部を設けた上下一対のクリップ体を対向させ、支点部を支点として揺動可能に係合されている。また、クリップは、上下の挟持部を内方に向けて弾性付勢するとともに被取付部に対して挟持部を挟合し圧着させ、その弾性力によってライトの仮止めの機能を果たす断面が略Ｃ字形状の板バネによりクリップ体が一体化されクリップを形成している。
【特許文献１】登録実用新案第３０３０７３１号公報
【特許文献２】特開２００６−１２７９５３号公報
【考案の開示】
【考案が解決しようとする課題】
【０００６】
しかしながら、上記した従来のクランプでは、例えば模型（プラモデル）の部品同士を接着剤で接着し、接着剤が乾いて完全に接着されるまで保持しようとすると、クランプに比べて部品の方が小さい場合は、クランプ自体を任意の姿勢で固定するのが困難なため、クランプを寝かしたり、吊り下げたりして固定する必要がある。また、吸盤付きのクランプでも、クランプに対する吸盤の位置や方向があらかじめ決まっており、吸盤はクランプに一体に取り付けられているので、クランプの姿勢や方向を任意に調整することができない。
【０００７】
本考案は上述の点に鑑みなされたもので、クランプにて被挟持物を挟持した状態でクランプを任意の姿勢や方向に保持して被挟持物の向きや姿勢を最適な状態で長時間保持することが可能で、特に複数個のクランプを用いて被挟持物を長時間保持するのに好適で、しかも大量生産が可能で低コスト化が図れるクランプを提供することを目的としている。
【課題を解決するための手段】
【０００８】
上記の目的を達成するために本考案に係るクランプは、一対の挟持腕をそれらの先端側に設けた圧接部間で被挟持物を挟持できるように開閉可能に枢支軸を介して枢着し、スプリングにより各挟持腕の先端側が相互に圧接されるように付勢し前記圧接部間で被挟持物を挟持する構造のクランプにおいて、一方の挟持腕の外周面および他方の挟持腕の一側面にそれぞれ嵌合部を設け、各嵌合部に嵌脱可能な嵌合部材を備えた吸盤式吸着具あるいはマグネット式吸着具の一方の嵌合部材を前記嵌合部の一方に嵌合して固定できるようにしたことを特徴とする。
【０００９】
請求項２に記載のように、前記嵌合部を、一方の挟持腕の先端側外周面および他方の挟持腕の一側面で前記枢支軸近傍にそれぞれ設けることができる。
【００１０】
請求項３に記載のように、前記各挟持腕の基端側の最基端部において、側面に直交する方向に貫通孔を設けることができる。
【００１１】
請求項４に記載のように、前記吸盤式吸着具あるいは前記マグネット式吸着具の背面中央部に前記嵌合部材を配置し、その嵌合部からフックを一体に延設することができる。
【００１２】
請求項５に記載のように、前記挟持腕側の嵌合部が嵌合溝であり、前記吸盤式吸着具あるいは前記マグネット式吸着具の嵌合部材が前記嵌合溝内に嵌入可能な嵌合突起からなることができる。
【００１３】
請求項６に記載のように、前記フックを一体に延設した前記嵌合部材を、前記吸盤式吸着具あるいは前記マグネット式吸着具の背面中央部に旋回可能に配置することができる。
【考案の効果】
【００１４】
本考案のクランプには、次のような優れた効果がある。すなわち、
被挟持物を先端の圧接部間に挟持した状態でクランプを任意の姿勢や方向に保持して被挟持物の向きや姿勢を最適な状態にして長時間動かないように保持することができる。
【００１５】
被挟持物がクランプに比べて大きい場合には、特に複数個のクランプを用いて被挟持物を長時間保持することができる。
【００１６】
クランプ自体は構造が簡単で、大量生産が可能で低コスト化が図れ、軽量で、取り扱いが容易である。
【考案を実施するための最良の形態】
【００１７】
以下、本考案に係るクランプの実施の形態を図面に基づいて説明する。
【００１８】
図１は本考案のクランプの実施例を示す正面側全体斜視図、図２は同正面図、図３は同左側面図、図４は同底面図である。図５（ａ）は吸盤式吸着具の背面側斜視図、（ｂ）は同一部を切り欠いた背面側斜視図、（ｃ）は同正面図である。図６（ａ）はマグネット式吸着具の背面側斜視図、（ｂ）は同正面図である。図７はクランプの使用状態を示す斜視図、図８は他の使用状態を示す斜視図である。図９はクランプの保持（固定）状態を示す背面図である。
【００１９】
図１〜図３に示すように、本例のクランプ１は、一対の挟持腕２・２をそれらの先端側に設けた圧接部２ｃ間で被挟持物Ａを挟持できるように開閉可能に枢支軸３を介して枢着し、図４に示すように枢支軸３の周囲にスプリング４をコイル状に巻装し、両端部分４ｂを各挟持腕２の操作部２ｂ内に延出して係止させたスプリング４により各挟持腕２・２の先端側圧接部２ｃが相互に圧接されるように付勢し圧接部２・２ｃ間で被挟持物Ａを挟持する構造からなり、金属製枢支軸３を除くクランプ１全体をＡＢＳなどの硬質樹脂で形成している。
【００２０】
各挟持腕２・２は、図１・図２に示すように、挟持腕２の先端側２ａが組み合わさって略円形リング状をなし、基端側操作部２ｂが略ハの字状に広がった形状で、各操作部２ｂの最基端部には厚み方向（側面に直交する方向）に貫通する孔２ｉを穿設している。また、図３に示すように一方の挟持腕２の先端側２ａの外周面および他方の挟持腕２における一側面で枢支軸３の近傍にそれぞれ嵌合部としての嵌合溝２ｄが設けられている。各嵌合溝２ｄは、図５・図６に示す吸盤式吸着具５またはマグネット式吸着具６の嵌合部材としての嵌合突起５ａ・６ａを嵌脱可能な構造からなる。
【００２１】
すなわち、嵌合突起５ａ・６ａは円盤部５ｂ・６ｂの正面に直径方向に突起条５ｃ・６ｃを突出し、コの字形ブラケット５ｄ・６ｄの背面に小径の円柱体５ｅ・６ｅを介して嵌合突起５ａ・６ａを突設している。各嵌合溝２ｄは円盤部５ｂ・６ｂを挿入可能な広幅の大開口２ｅと円柱体５ｅ・６ｅよりわずかに大きい細幅の小開口２ｆとを一連に連通させて形成し、さらに嵌合溝２ｄ内の底面に前記突起条５ｃ・６ｃに対応するガイド溝部２ｇを設けている。そして、嵌合溝２ｄ内に大開口２ｅより嵌合突起５ａ・６ａを挿入し、突起条５ｃ・６ｃをガイド溝部２ｇに沿って小開口２ｆ側へスライドさせることにより、吸盤式吸着具５またはマグネット式吸着具６の嵌合突起５ａ・６ａを嵌合溝２ｄ内に嵌合させて固定することができる。
【００２２】
図５に示すように、吸盤式吸着具５は正面に吸盤５’を備え、背面の中央部に取付片５ｈを一体に突設し、この取付片５ｈにブラケット５ｄの溝を嵌め込み、図示を省略した支軸を中心にブラケット５ｄを嵌合突起５ａとともに左右および中央部に９０°ごと旋回させて位置決めできる。また、ブラケット５ｄの一面には円弧状のフック７を一体に設けており、フック７は嵌合突起５ａと一体でブラケット５ｄとともに旋回する。また、図６に示すように、マグネット式吸着具６は正面に正方形のマグネット６’を備え、嵌合突起ａが背面を向くようにブラケット６ｄを背面中央部に一体に固設し、ブラケット６ｄの一面から円弧状のフック８を外方へ延設している。
【００２３】
本例のクランプ１では、図９に示すように例えば吸盤式吸着具５をクランプ１の一方の挟持腕２において先端側外周面の嵌合溝２ｄに嵌合させて装着し、他方の挟持腕２において枢支軸３の近傍における嵌合溝２ｄにも吸盤式吸着具５を嵌合させて装着し、垂直な壁面に上側の吸盤式吸着具５を吸着し同時にパイプＰにフック７を引っ掛けてクランプ１を吊設する一方、下側の吸盤式吸着具５のフック７をワイヤＷに引っ掛けてクランプ１が動かないように保持することができる。図９では、クランプ１の圧接部２ｃ間に何も挟持していないが、実際にはプラモデルなどの部品を接着して離れないように挟持した状態で使用する。
【００２４】
図７では二枚の板材Ａを２つのクランプ１・１で圧接し、板材Ａ・Ａを接着剤で接着している状態を示しているが、各クランプ１・１の先端側外周面の嵌合溝２ｄにマグネット式吸着具６を嵌合して装着し、スチール面Ｘ上にマグネット式吸着具６を吸着して板材Ａを水平に保持している。また、図８ではメモ類Ａをクランプ１の圧接部２ｃ間に圧接して挟持し、両側の貫通孔２ｉ間に紐９を掛けてパイプＰに通し、吊持している。
【００２５】
このように、上記実施例に係る本考案のクランプ１によれば、吸盤式吸着具５やマグネット式吸着具６をクランプ１の２つの嵌合溝２ｄのうちの少なくとも一方に嵌合し、クランプ１の圧接部２ｃ間で挟持して長時間動かないように固定することができる。
【００２６】
以上に本考案に係るクランプの一実施例を示したが、下記のように実施することもできる。
【００２７】
クランプ１における嵌合溝２ｄの位置は、クランプ１の形状を変更するのに対応して適宜変更することができる。
【００２８】
マグネット式吸着具６についても、ブラケット６ｄを介してフック８および嵌合突起６ａを旋回可能にできる。
【００２９】
クランプ１側の嵌合部を嵌合溝２ｄにしたが、逆にクランプ１側を嵌合突起にして吸着具５・６側の嵌合部材を嵌合溝にすることができる。
【００３０】
クランプ１を構成する挟持腕２の形状については、先端側２ａを洗濯ばさみ状にストレート状にしたり、操作部２ｂを枢支軸３から最基端部２ｉにかけて両側に湾曲させたりすることなど、適宜変更できる。
【図面の簡単な説明】
【００３１】
【図１】本考案のクランプの実施例を示す正面側全体斜視図である。
【図２】本考案のクランプの実施例を示す正面図である。
【図３】本考案のクランプの実施例を示す左側面図である。
【図４】本考案のクランプの実施例を示す底面図である。
【図５】（ａ）は吸盤式吸着具の背面側斜視図、（ｂ）は同一部を切り欠いた背面側斜視図、（ｃ）は同正面図である。
【図６】（ａ）はマグネット式吸着具の背面側斜視図、（ｂ）は同正面図である。
【図７】本考案の実施例に係るクランプの使用状態を示す斜視図である。
【図８】本考案の実施例に係るクランプの他の使用状態を示す斜視図である。
【図９】本考案の実施例に係るクランプの保持（固定）状態を示す背面図である。
【符号の説明】
【００３２】
１  クランプ
２  挟持腕
２ｂ基端側操作部
２ｃ圧接部
２ｄ嵌合溝（嵌合部）
２ｅ大開口
２ｆ小開口
２ｇガイド溝部
２ｉ貫通孔
３  枢支軸
４  スプリング
５  吸盤式吸着具
５ａ・６ａ嵌合突起（嵌合部材）
５ｂ・６ｂ円盤部
５ｃ・６ｃ突起条
５ｄ・６ｄブラケット
５ｅ・６ｅ円柱体
５’吸盤
５ｈ取付片
６  マグネット式吸着具
６’マグネット
７・８  フック
Ａ  被挟持物
【図１】
0003133002.tif 000003
【図２】
0003133002.tif 000004
【図３】
0003133002.tif 000005
【図４】
0003133002.tif 000006
【図５】
0003133002.tif 000007
【図６】
0003133002.tif 000008
【図７】
0003133002.tif 000009
【図８】
0003133002.tif 000010
【図９】
0003133002.tif 000011